(57)【要約】【課題】  通信先を容易な操作で設定することができる通信装置及び通信方法を提供することである。【解決手段】  表示装置に表示された情報の中から、ユーザ所望の通信アドレスが記載されている領域をペン３２を利用して選択する（Ｓ２）。そして、通信開始を意味する通信ボタン３４が押されると、選択された領域の情報に基づいて通信アドレスを識別し（Ｓ４）、識別した情報に基づいて、所望の通信先への通信回線を接続する（Ｓ１０）。【選択図】        図２
2006099806.tif 000002
【特許請求の範囲】
【請求項１】
複数の通信先情報が記載された本文情報を有するメールを受信する受信手段と、
前記受信手段が受信したメールの本文情報における複数の通信先情報を表示するための表示手段と、
前記表示手段により表示された前記メール本文情報における任意の位置を選択するための選択手段と、
前記選択手段により選択された前記メール本文情報における位置に基づいて、前記メール本文情報から情報を選択的に読み取る情報読み取り手段と、
前記情報読み取り手段が選択的に読み取る前記メール本文情報の中から、通信先情報を特定する情報特定手段と、
前記情報特定手段により特定された前記メール本文情報内の通信先情報が示す通信先に通信を行う通信手段と
を備えたことを特徴とする通信装置。
【請求項２】
前記選択手段により選択された位置に基づいて前記情報読み取り手段が選択的に読み取る情報が通信先として適切であるか否かを判定する判定手段と、
前記判定手段により適切でないと判定された場合、告知する告知手段とを備えたことを特徴とする請求項１に記載の通信装置。
【請求項３】
前記告知手段は、音声等を出力するスピーカによって構成したことを特徴とする請求項２に記載の通信装置。
【請求項４】
前記告知手段は、前記表示手段に予め設定された情報を表示するように構成されていることを特徴とする請求項２または３に記載の通信装置。
【請求項５】
複数の通信先情報が記載された本文情報を有するメールを受信する受信ステップと、
前記受信ステップにて受信したメールの本文情報における複数の通信先情報を表示手段に表示するための表示ステップと、
前記表示ステップにて前記表示手段に表示された前記メール本文情報における任意の位置を選択手段により選択するための選択ステップと、
前記選択ステップにて選択された前記メール本文情報における位置に基づいて、前記メール本文情報から情報を情報読み取り手段により選択的に読み取る情報読み取りステップと、
前記情報読み取りステップにて選択的に読み取る前記メール本文情報の中から、通信先情報を情報特定手段により特定する情報特定ステップと、
前記情報特定ステップにて特定された前記メール本文情報内の通信先情報が示す通信先に通信手段が通信を行う通信ステップと
を備えたことを特徴とする通信方法。
【請求項６】
前記選択ステップにて選択された位置に基づいて前記情報読み取りステップにて選択的に読み取られた情報が通信先として適切であるか否かを判定手段が判定する判定ステップと、
前記判定ステップにて適切でないと判定された場合、告知手段が告知する告知ステップとを備えたことを特徴とする請求項５に記載の通信方法。
【請求項７】
前記告知ステップは、前記告知手段により音声を出力することを特徴とする請求項６に記載の通信装置。
【請求項８】
前記告知ステップは、前記告知手段により前記表示手段に予め設定された情報を表示することを特徴とする請求項６または７に記載の通信方法。
【発明の詳細な説明】
【技術分野】
【０００１】
本発明は、通信先を識別するための通信先アドレスを容易な操作で設定しうる通信装置及び通信方法に関するものである。
【背景技術】
【０００２】
従来より、通信先を識別するための通信先アドレスの入力において、入力ミスに起因する通信不良や、その入力における操作性の不良が問題視されている。このことを具体的に説明する。
【０００３】
先ず、図５を参照して従来の通信装置の構成について説明する。通信装置１００内部には、ＣＰＵ１１０と、記憶装置１１２と、キーボード等の入力装置１１４と、ＣＲＴ等の表示装置１１６と、情報を通信装置１００の外部とやり取りするための送受信部１１８とがバス等を介して接続されている。また、前記記憶装置１１２内部には、各種のアプリケーションプログラム１２０が記憶されている。前記ＣＰＵ１１０は、記憶装置１１２内部のアプリケーションプログラム１２０に従って各種動作の制御を行う。送受信部１１８は、外部のネットワーク１０２に接続されている。
【０００４】
続いて、図６を参照して、通信装置の動作の説明を行う。通信装置１００の利用者はアプリケーションプログラム１２０の実行により、文書の作成を行う（Ｓ１００、尚、Ｓはステップを示す。以下同様）。図示しない通信実行の指示が入力装置１１４よりなされると（Ｓ１０２、Ｙｅｓ）、ＣＰＵ１１０は、通信の相手先を識別するための通信アドレスの入力をユーザに求める。ユーザはその指示に従って、入力装置１１４より通信アドレスを入力する（Ｓ１０４）。ＣＰＵ１１０は、入力された通信アドレスを識別し、その通信アドレスを表示装置１１６に表示すると共に、この通信アドレスが適当であるか否かの確認を要求する（Ｓ１０６）。そして、確認がなされた場合（Ｓ１０６、Ｙｅｓ）、手順Ｓ１００で作成した文書をその通信アドレス先に送付することになる（Ｓ１０８）。
【０００５】
尚、手順Ｓ１０２で通信実行の指示が無い場合（Ｎｏ）、手順Ｓ１００に戻り文書の作成が継続される。また、手順Ｓ１０６で送付確認がなされない場合（Ｎｏ）、手順Ｓ１０４に戻り、通信アドレスの入力をやり直す。
【０００６】
このように、従来は通信相手を識別するための通信アドレスを直接入力する必要があるため、操作が繁雑になりタイプミス等の原因ともなった。それ故、容易に通信アドレスを入力しうる装置が種々提案されるようになった。
【０００７】
この種の装置の具体例としては、例えば、特開平６−３５０６４１号公報（特許文献１）にて提案されている方法がある。この方法に関する詳細な説明は省略するが概略は図７に示すような構成となっている。
【０００８】
電子メールシステム２０１は、メール受信部２１１によって電子メールを受け取ると、そのメールの発信者のヘッダ部分をメール解析部２１２にて求め、メールのヘッダ部分と本文をメール表示部２１３にて表示する。ここで、メールの発信者が表示されるヘッダ部分を図示しない入力装置を利用して選択すると、ヘッダ部分が宛先登録部２１４に渡される。宛先登録部２１４は受け取った宛先を宛先設定ファイル２１０へ、その宛先を検索あるいは識別するための識別名と対応付けて記憶保存させる。
【０００９】
続いて、メールの送信について説明する。メール作成部２１５にてメールを作成する場合、そのメールの宛先は宛先設定部２１６にて設定される。この時、宛先設定ファイル２１０に登録されている宛先を設定する場合は所望の宛先を宛先設定ファイル２１０から読み出すことで設定を行い、新規の宛先を直接入力する場合は、入力した宛先を宛先設定部２１６から宛先登録部２１４へ渡すことになる。宛先登録部２１４は上述と同様の動作を行い、新規の宛先を宛先設定ファイル２１０へ記憶保存することになる。メール送信部２１７は宛先設定部２１６で設定した宛先に基づいて、メールの送信を行う。
【００１０】
このような構成や動作を行うことにより、相手から送付されるメールに添付されている相手のメールの宛先をメール表示部２１３で選択するだけで宛先設定ファイル２１０へ登録することができるので、登録ミスの危険が低減できる。また、宛先設定ファイル２１０へ登録した宛先に基づいて送信するメールの宛先を設定することができるので、宛先の入力ミスを防止することもできる。また、新規の宛先を宛先設定部２１６で入力すると、宛先設定ファイル２１０へ登録することもできるので、同じ宛先を何度も入力する必要が無くなり、操作の繁雑さを解消することもできる。
【００１１】
【特許文献１】特開平６−３５０６４１号公報
【特許文献２】特開平３−１４７４５１号公報
【発明の開示】
【発明が解決しようとする課題】
【００１２】
しかしながら、以下のような問題点が存在する。前記の従来技術はメールの発信者の宛先を識別し、これを登録するに過ぎない。即ち、メール本文中に異なるメールの宛先が記述されており、その宛先に対して通信を行う場合には、前記従来技術では結局人手による宛先の入力が必要である。通信に関する社会環境の整備が整えば、メールの宛先を複数使い分けることが予想される。即ち、メールの発信者以外の宛先をメールの本文中に記述し、受信者の用途に応じた返信先の宛先を選択できるようになるので、前述のような人手による宛先の入力という状況は頻繁に発生すると考えられる。
【００１３】
また、前記従来技術は、新規の宛先入力が行われると、登録も行うことができるので、入力ミスの発生する機会を低減させることはできるが、宛先の入力時に入力ミスが発生しやすいという根本的な原因への対処にはなっていない。さらに、通常の通信でも、今後２度と通信する機会が無い或いはほとんどその機会が無いと容易に想像できる通信相手というものが存在する。例えば、希望しないダイレクトメール等に対する返信がその具体例としてあげられる。
【００１４】
このように、今後通信する機会がほとんど無い通信先に対しては、宛先を登録しても２度目の通信の機会が無いので、それはメリットにはならない。そればかりか、ほとんど無駄としかいえない情報を登録するため、今後必要な宛先を検索する際に識別する必要が起り、余分な手間を発生させるデメリットすら引き起こしてしまう。さらに、メモリ容量の無駄使いのデメリットも当然のことながら存在する。
【００１５】
前記のように、従来技術では、頻繁に使用する通信相手への宛先設定を容易に行うように改善することはできたが、ほとんど通信する機会がない通信相手への宛先設定に対する操作性の向上は図られていなかった。さらに、このような通信相手との通信機会は、決してまれなことではなく、通信における環境整備が図られて多くの人や企業が参加するにつれ、大きな問題となってくる。
【００１６】
本発明は、上述した問題点を解決するためになされたものであり、通信先を容易な操作で設定することができる通信装置及び通信方法を提供することを目的とする。
【課題を解決するための手段】
【００１７】
この目的を達成するために、請求項１に記載の通信装置は、複数の通信先情報が記載された本文情報を有するメールを受信する受信手段と、前記受信手段が受信したメールの本文情報における複数の通信先情報を表示するための表示手段と、前記表示手段により表示された前記メール本文情報における任意の位置を選択するための選択手段と、前記選択手段により選択された前記メール本文情報における位置に基づいて、前記メール本文情報から情報を選択的に読み取る情報読み取り手段と、前記情報読み取り手段が選択的に読み取る前記メール本文情報の中から、通信先情報を特定する情報特定手段と、前記情報特定手段により特定された前記メール本文情報内の通信先情報が示す通信先に通信を行う通信手段とを備えたことを特徴とする。
【００１８】
また、請求項２に記載の通信装置は、請求項１に記載の通信装置の構成に加えて、前記選択手段により選択された位置に基づいて前記情報読み取り手段が選択的に読み取る情報が通信先として適切であるか否かを判定する判定手段と、前記判定手段により適切でないと判定された場合、告知する告知手段とを備えたことを特徴とする。
【００１９】
また、請求項３に記載の通信装置は、請求項２に記載の通信装置の構成に加えて、前記告知手段は、音声等を出力するスピーカによって構成したことを特徴とする。
【００２０】
また、請求項４に記載の通信装置は、請求項２または３に記載の通信装置の構成に加えて、前記告知手段は、前記表示手段に予め設定された情報を表示するように構成されていることを特徴とする。
【００２１】
請求項５に記載の通信方法は、複数の通信先情報が記載された本文情報を有するメールを受信する受信ステップと、前記受信ステップにて受信したメールの本文情報における複数の通信先情報を表示手段に表示するための表示ステップと、前記表示ステップにて前記表示手段に表示された前記メール本文情報における任意の位置を選択手段により選択するための選択ステップと、前記選択ステップにて選択された前記メール本文情報における位置に基づいて、前記メール本文情報から情報を情報読み取り手段により選択的に読み取る情報読み取りステップと、前記情報読み取りステップにて選択的に読み取る前記メール本文情報の中から、通信先情報を情報特定手段により特定する情報特定ステップと、前記情報特定ステップにて特定された前記メール本文情報内の通信先情報が示す通信先に通信手段が通信を行う通信ステップとを備えたことを特徴とする。
【００２２】
また、請求項６に記載の通信方法は、請求項５に記載の通信方法の構成に加えて、前記選択ステップにて選択された位置に基づいて前記情報読み取りステップにて選択的に読み取られた情報が通信先として適切であるか否かを判定手段が判定する判定ステップと、前記判定ステップにて適切でないと判定された場合、告知手段が告知する告知ステップとを備えたことを特徴とする。
【００２３】
また、請求項７に記載の通信方法は、請求項６に記載の通信方法の構成に加えて、前記告知ステップは、前記告知手段により音声を出力することを特徴とする。
【００２４】
また、請求項８に記載の通信方法は、請求項項６または７に記載の通信方法の構成に加えて、前記告知ステップは、前記告知手段により前記表示手段に予め設定された情報を表示することを特徴とする。
【発明の効果】
【００２５】
以上説明したことから明らかなように、請求項１に記載の通信装置及び請求項５に記載の通信方法によれば、受信したメールの本文情報における複数の通信先情報が表示手段により表示され、表示されたメールの本文情報における任意の位置が選択され、選択されたメールの本文情報における位置に基づいて、メール本文情報から情報が選択的に読み取られて、メール本文情報の中から通信の相手の通信先情報を特定し、通信することができる。このように、利用者は表示された受信メールの本文情報の中から通信先情報が表示された位置を選択するだけで通信を行うことができるので、通信を行う際の繁雑な操作から解放される。また、例えば、送信されてきたメール等の情報に付加されている返信先のアドレスを選択することもできる。このような場合は、選択した情報の登録における正確さは、メールの送信先が保証しているので登録されている情報に対する信頼性も増すことになる。
【００２６】
また、請求項２に記載の通信装置及び請求項６に記載の通信方法によれば、選択的に読み取られた情報が通信先として適切でない場合、その旨を利用者に告知することができる。即ち、誤った情報に基づく通信の実行を未然に防止することができる。
【００２７】
また、請求項３に記載の通信装置及び請求項７に記載の通信方法によれば、利用者は告知を音声として認識することができるので、誤った選択がなされていること、或いは誤った通信を行おうとしていることを容易に認識することができる。
【００２８】
また、請求項４に記載の通信装置及び請求項８に記載の通信方法によれば、利用者は告知を表示手段における視覚情報として認識することができるので、誤った選択がなされていること、或いは誤った通信を行おうとしていることを容易に認識することができる。
【発明を実施するための最良の形態】
【００２９】
以下に、本発明の通信装置を具体化した実施の形態について図面を参照して説明する。
【００３０】
先ず、図１を参照して、第一の実施の形態における構成について説明する。通信装置１０の内部には、ＣＰＵ２０と、各種データやプログラムを記憶する記憶装置２２と、ユーザによって操作される入力部２４と、視覚的な情報の表示を行う表示手段としての表示装置２６と、音声を出力する告知手段としてのスピーカ２８と、通信装置１０の外部と情報の伝達を行うための送受信部３０とが設けられている。前記ＣＰＵ２０は、記憶装置２２の図示しない領域に記憶されるアプリケーションプログラムの指示に従って、各種の動作制御を行う。また、前記入力部２４は、表示装置上の領域を指定するためのペン３２と、通信の実行を指示する通信ボタン３４とを含んでいる。送受信部３０は、外部のネットワーク４０に接続されている。
【００３１】
続いて、図２及び４を参照して、動作について説明する。通信装置１０のユーザは、図示しない操作を行うことによって、外部より送られてきて記憶装置２２の図示しない領域に記憶保存されている受信メールを呼び出すことができる。ＣＰＵ２０は、この受信メールを表示装置２６上に表示させる（Ｓ１）。この時、表示装置２６上に表示される情報は、例えば、図４（ａ）の様に表示されるものとする。尚、このメールは、返信先の通信アドレスが任意の領域に、少なくとも一つ記述されているものである。図４の例に従えば、abcd-efgh.jjjjという通信アドレスとaaaa-bbbb.ccccという通信アドレスが任意の場所に配置してある。尚、この通信アドレスはメールの文章中に記載されていることからも明らかな様に、このメールを送信した送信者の通信アドレスである必然性は全く無い。
【００３２】
ユーザがこのメールに対して返信を行おうとする場合、ペン３２を利用して、所望の通信アドレスが記載されている領域を選択する（Ｓ２）。ＣＰＵ１０は選択されている領域をユーザに識別させるために、例えば、図４（ｂ）に示すように、選択された領域の白黒を反転させてもよい。尚、このＳ２の処理が選択手段として機能する。
【００３３】
そして、ＣＰＵ２０は、通信ボタン３４が押下されたことを検知すると、Ｓ２の処理で選択された領域に基づいて、表示装置２６上に表示されている情報の少なくとも一部分を読み取る（Ｓ３）。ここで読み取る情報は、Ｓ２の処理で選択された領域と必ずしも一致する必要はない。例えば、Ｓ２の処理で選択された領域に対して、その前後一文字分づつ広い領域の情報を読み取るものであってもよい。即ち、図４（ｂ）に示した様な領域がＳ２の処理で選択されているとすると、ＣＰＵ２０は□aaaa-bbbb.cccc□という情報を読み取ることになる。ここで、□はスペースを示す記号である。尚、このＳ３の処理が情報読み取り手段として機能する。
【００３４】
そして、ＣＰＵ２０はＳ４の処理で読み取る情報をスペースで分離することによって、１つ以上の文字列を生成し、その生成された文字列の中で最大の文字列となるものを選択する（Ｓ４）。例えば、前記図４の例では、両端にスペースが存在するだけであるので、スペースで分離された最大（１つの文字列しか生成されていないが）の文字列はaaaa-bbbb.ccccとなる。説明のため、例えば、aaaa-bbbb.cccc□hhhhgggg□dddという情報が前記Ｓ３の処理で選択されていたとすると、スペースによる分離によって、aaaa-bbbb.cccc、hhhhgggg、dddという３つの文字列が生成され、さらに、その中で最大の文字列となるaaaa-bbbb.ccccが選択されることになる。尚、このＳ４の処理が情報特定手段として機能する。
【００３５】
続いて、ＣＰＵ２０は、前記Ｓ４の処理で選択した最大文字列の前部エッジが確定しているか否かを判定する（Ｓ５）。先ず、前部エッジとは、Ｓ４の処理で最大文字列として認識された文字列の最前部のことであり、確定しているか否かということはその最前部が文字列の切れ目として判定できるか否かということである。具体的には、図４の例において最大文字列として識別されたaaaa-bbbb.ccccは、aaaaの１つ前方に文字列の切れ目として識別すべきスペースの配置があることを、Ｓ３の処理で読み取る情報を参照することで判断することができる。即ち、Ｓ４の処理で選択した最大文字列の最前部が文字列の開始位置であることを確定することができる。また、Ｓ４の処理の説明の中で利用したaaaa-bbbb.cccc□hhhhgggg□dddという情報から選択したaaaa-bbbb.ccccの場合は、文字列の最前部aaaaの前方に該当する情報がＳ３の処理で読み取る情報の中には無く、文字の切れ目を示すスペースを認識できないことが分かる。この場合は、Ｓ４の処理で選択した文字列の最前部が文字列の開始位置であるということを確定することはできない。
【００３６】
前記した説明の様に、Ｓ５の処理で前部のエッジが確定できると（Ｓ５、Ｙｅｓ）、ＣＰＵ２０は、記憶装置２２の図示しない領域に、F=Yesを記憶保存する（Ｓ６）。
【００３７】
続いて、ＣＰＵ２０は、Ｓ４の処理で選択した文字列の後部エッジが確定しているか否かを判断する（Ｓ７）。後部エッジとは、Ｓ４の処理で最大文字列として認識された文字列の最後部のことであり、他の用語の意味は前述のＳ５の処理と同様である。また、確定しているか否かの具体的な判定方法も、前述のＳ５の処理とほぼ同様である。Ｓ３の処理で読み取る情報の中で、Ｓ４の処理で選択した文字列の後方に該当する領域に、スペースが配置されているか否かを識別することで、後部エッジが確定しているか否かを判断する。
【００３８】
ここで、後部エッジが確定していると判定されると（Ｓ５、Ｙｅｓ）、ＣＰＵ２０は、記憶装置２２の図示しない領域に、B=Yesを記憶保存する。
【００３９】
そして、ＣＰＵ２０は、記憶装置２２内に保存される情報を検索し、F=Yes かつ B=Yesであるか否かを判定する（Ｓ９）。尚、このＳ９の処理が判定手段として機能する。前記動作の説明では、F=Yes,B=Yesを記憶装置２２に記憶保存しているので、Ｓ９は（Ｙｅｓ）となる。
【００４０】
そして、Ｓ４の処理で選択した文字列を、通信アドレスとして利用して通信回線の接続を行う（Ｓ１０）。尚、この処理が通信手段として機能する。
【００４１】
尚、Ｓ５の処理において前部エッジが確定でないと判定された場合（Ｓ５、Ｎｏ）、ＣＰＵ２０は、記憶装置２２の図示しない領域にF=Noを記憶保存する（Ｓ１１）。また、Ｓ７の処理で後部エッジが確定でないと判定されると（Ｓ７、Ｎｏ）、ＣＰＵ２０は、記憶装置２２の図示しない領域にB=Noを記憶保存する（Ｓ１２）。このいずれかの動作が発生すると、Ｓ９の処理における判定も（Ｎｏ）となり、以下に記述する動作を実行することになる。
【００４２】
先ず、ＣＰＵ２０は、記憶装置２２の図示しない領域にi=1を初期値として設定する（Ｓ１３）。そして、記憶装置２２内を検索して、F=Yesであるか否かを判定する（Ｓ１４）。
【００４３】
ここで、F=Yesではない場合（Ｓ１４、Ｎｏ）、ＣＰＵ２０はＳ３の処理で読み取る領域のi文字分前方に配置されている情報がスペースであるか否かを判定する（Ｓ１５）。ここで、スペースでないと判定されると（Ｓ１５、Ｎｏ）。ＣＰＵ２０は、iをインクリメントし、記憶装置２２の図示しない領域に記憶保存する（Ｓ１６）。そして、文字列の切れ目を示すスペースを見つけるまで、Ｓ１５及びＳ１６の動作を繰り返す。
【００４４】
Ｓ１５の処理でスペースを見つけると（Ｙｅｓ）、ＣＰＵ２０は、記憶装置２２の図示しない領域にj=1を初期値として記憶保存する（Ｓ１７）。そして、記憶装置２２内を検索して、B=Yesであるか否かを判定する（Ｓ１８）。
【００４５】
ここで、B=Yesではない場合（Ｓ１８、Ｎｏ）、ＣＰＵ２０は、Ｓ３の処理で読み取る領域のj文字分後方に配置されている情報がスペースであるか否かを判定する（Ｓ１９）。ここで、スペースでないと判定されると（Ｓ１９、Ｎｏ）。ＣＰＵ２０は、jをインクリメントし、記憶装置２２の図示しない領域に記憶保存する（Ｓ２０）。そして、文字列の切れ目を示すスペースを見つけるまで、Ｓ１９及びＳ２０の動作を繰り返す。
【００４６】
Ｓ１９の処理でスペースを見つけると（Ｙｅｓ）、ＣＰＵ２０は、記憶装置２２を検索し、i及びjに対応付けられている数値を読み取り、それぞれの値が共に１であるか否かを判定する（Ｓ２１）。
【００４７】
ここで、i或いはjの少なくとも一方が１ではない場合、ＣＰＵ２０は、Ｓ３の処理で読み取る情報の領域に対し、前方（ｉ−１）文字分の情報（以下、前方付加情報と呼ぶ）と後方（ｊ−１）文字分の情報（以下、後方付加情報と呼ぶ）を新たに読み取る（Ｓ２２）。尚、このＳ２２の処理が近傍情報読み取り手段として機能する。
【００４８】
そして、Ｓ４の処理で選択した文字列の前方に前方付加情報を結合させ、後方に後方付加情報を結合させる（Ｓ２３）。尚、このＳ２３の処理が結合手段として機能する。そして、この結合された情報を通信アドレスとして通信回線の接続が行われることになる（Ｓ１０）。
【００４９】
また、Ｓ１４の処理でF=Yesである場合（Ｙｅｓ）は、前部エッジは既に確定している。そのため、前部エッジを調べるＳ１５及びＳ１６の処理を省略し、Ｓ１７の処理に進む。この場合、記憶装置２２に記憶されるiに対応する値は１のままである。
【００５０】
前記Ｓ１８の処理でB=Yesである場合（Ｙｅｓ）は、後部エッジは既に確定している。そのため、後部エッジを調べる処理であるＳ１９及びＳ２０を省略し、Ｓ２１の処理へ進む。
【００５１】
Ｓ２１の処理で、i及びjに対応する値が共に１である場合（Ｙｅｓ）は、Ｓ２２の処理で読み取る情報が事実上存在せず、Ｓ２３の処理で結合する情報が何もない場合であるため、Ｓ２２及び手順Ｓ２３の処理を省略し、Ｓ１０の処理に進む。この場合、Ｓ４の処理で選択した文字列を通信アドレスとして利用して、通信回線の接続を行う。
【００５２】
このような構成及び動作を行うことによって以下のような効果を期待することができる。先ず、通信装置１０のユーザは、表示装置２６に表示される情報の中から所望の領域を選択するだけで、所望の通信アドレスへ通信回線を接続することができる。即ち、通信先のアドレスをユーザが入力する必要が無いので操作が非常に楽になる。
【００５３】
また、前記の様に送信されてきたメールに添付されている情報は、送信先がその正確性を保証しているので、ユーザ自身が入力した情報よりもその正確性は高い。送信されてきている情報に基づいて通信先の通信アドレスを設定することができるので、通信アドレスの設定ミスが発生する危険は著しく低減することができる。
【００５４】
さらに、Ｓ２の処理でユーザが設定する領域が適切な通信アドレスの記載されている領域に対して過不足が生じる選択ミスが発生する危険は少なからず存在するが、前記実施の形態のように、ユーザが選択した領域の情報が通信アドレスとして適切な領域であるか否かを判断し、過不足が生じている場合は自動的に適切な領域を選択することができるので、ユーザは領域の設定における精度に気を配る必要がない。即ち、Ｓ２の処理における領域選択をおおまかな領域を設定するだけでよいので、領域設定における操作性も向上することになる。
【００５５】
尚、前記実施の形態では、文字列の切れ目を識別するために、スペースを利用しているが、本発明の要旨はこれに限定されるものではないことはいうまでもない。通信装置の表示方法や、通信アドレスの特徴に応じて種々の要素を利用して文字列の切れ目を識別することができる。例えば、通信アドレスが電話番号である場合、数値以外の情報を文字列の切れ目として扱うこともできる。また、電話番号である場合、通常03-1234-5678という様に、一連の文字列の間に−記号を入れて表示することが一般的である。この場合、Ｓ４の処理における最大文字列を識別する手順は、この−記号を自動的に割愛し、前記実施の形態に対して0312345678という数値の列として識別するものであってもよい。
【００５６】
さらに、Ｓ４の処理は、通信アドレスとして最も適切であると判断できる文字列を選択することを意図する工程であり、最大の文字列を識別することが重要ではない。例えば、前記実施の形態のように通信アドレスが電話番号の場合、通常10桁の数値で表されることが一般的であるので、識別した文字列の長さが１０桁以下のもので、かつ最大長さのものを識別するものであってもよい。どのような特徴によって識別するかは、通信装置の表示特性や通信システムの特性に依存して種々変化することが考えられる。本発明の要旨は、その特徴に応じて適切な文字列を選択することである。
【００５７】
続いて、図３を参照して本発明の第二の実施の形態における動作の説明を以下に行う。尚、第二の実施の形態における構成は前記第一の実施の形態と同様であるので、図１を参照することでその説明を省略する。
【００５８】
メールを呼びだし（Ｓ１）、相手先アドレスを選択し（Ｓ２）、選択された領域の情報を読み取る動作（Ｓ３）は、前述の第一の実施の形態と同様であるので、詳細な説明は省略する。ＣＰＵ２０は、第一の実施の形態におけるＳ５〜Ｓ９の処理を行うことにより、Ｓ２の処理で選択したデータが適切であるか否かを判定する（Ｓ３０）。すなわち、F=B=Yesならば適切なデータが選択されていると判定し、そうでない場合は適切なデータが選択されていないと判定する。
【００５９】
ここで、適切なデータが選択されていない場合（Ｓ３０、Ｎｏ）、ＣＰＵ２０は、音声信号を生成し、その音声信号をスピーカ２８に送信する。そして、スピーカ２８から告知としてのアラーム音が出力される（Ｓ３１）。ユーザはこのアラーム音を聞くことにより、異常が発生していることを認識し、表示装置２６上をみることになる。表示装置２６上には、ＣＰＵ２０からの指示に従って、Ｓ３で選択した情報が表示されると共に、この情報に基づいて通信回線の接続を行ってよいか否かをユーザに問う画面が表示される（Ｓ３２）。ユーザはこの画面をみて、正しい情報が選択されているか否かを識別し、その結果を入力部２４より入力する（Ｓ３３）。尚、前記Ｓ３１及びＳ３２の処理が告知手段として機能する。
【００６０】
Ｓ３３の処理で適切である旨が入力されると、ＣＰＵ２０は、この情報に基づいて通信回線の接続を実行する。
【００６１】
また、Ｓ３０の処理で選択データが適切であるとＣＰＵ２０が判定する場合は、Ｓ１０の処理へ進む。一方、Ｓ３３の処理で正しい情報が選択されていないとユーザが判断すると（Ｎｏ）、Ｓ２の処理へ戻り、相手先アドレスの選択からやり直す。
【００６２】
以上のような構成及び動作を行うことによって、ユーザによる選択にミスがあった場合、それをユーザにて検知することができるので、誤った通信アドレスに基づいて通信回線の接続を行う危険が低減する。
【図面の簡単な説明】
【００６３】
【図１】本発明の第一の実施の形態における構成を示すブロック図である。
【図２】第一の実施の形態における動作を示すフローチャートである。
【図３】本発明の第二の実施例における動作を示すフローチャート図である。
【図４】表示装置への表示例を説明するための図である。
【図５】従来技術における通信装置の構成を示すブロック図である。
【図６】従来技術の通信装置における動作を示すフローチャートである。
【図７】従来技術における電子メールシステムの構成を示すブロック図である。
【符号の説明】
【００６４】
１０  通信装置
２０  ＣＰＵ
２２  記憶装置
２４  入力部
２６  表示装置
２８  スピーカ
３０  送受信部
３２  ペン
３４  通信ボタン
【図１】
2006099806.tif 000003
【図２】
2006099806.tif 000004
【図３】
2006099806.tif 000005
【図４】
2006099806.tif 000006
【図５】
2006099806.tif 000007
【図６】
2006099806.tif 000008
【図７】
2006099806.tif 000009